(57)【要約】  【課題】作業者の負担を軽減できる上、浴槽や浴槽架台が損傷しにくく、浴槽を浴槽架台に容易かつ確実に設置できる構造の浴槽ユニットを提供すること。  【解決手段】  洗い場に隣接して配置される浴槽と、この浴槽を支持する浴槽架台とを備えた浴槽ユニットであって、浴槽の底部裏面と浴槽架台の上面のいずれか一方に、凹部が形成されているとともに、浴槽の底部裏面または浴槽架台の上面の前記凹部に対応する位置に、前記凹部に弾性変形により嵌着する凸部が形成されていて、凸部の嵌合部分に、凸部の先端側から根元側に向かって傘状に広がる脱落阻止部が形成されている。【選択図】図１
2008220458.tif 000002
【特許請求の範囲】
【請求項１】
洗い場に隣接して配置される浴槽と、この浴槽を支持する浴槽架台とを備えた浴槽ユニットであって、
浴槽の底部裏面と浴槽架台の上面のいずれか一方に、凹部が形成されているとともに、
浴槽の底部裏面または浴槽架台の上面の前記凹部に対応する位置に、前記凹部に弾性変形により嵌着する凸部が形成されていて、
凸部の嵌合部分に、凸部の先端側から根元側に向かって傘状に広がる脱落阻止部が形成されていることを特徴とする浴槽ユニット。
【請求項２】
凸部と凹部とが、洗い場の近傍位置と洗い場から離れた位置とにそれぞれ設けられており、洗い場の近傍位置における凸部と凹部との嵌合強度を、洗い場から離れた位置における凸部と凹部との嵌合強度よりも弱くしたことを特徴とする請求項１記載の浴槽ユニット。
【発明の詳細な説明】
【技術分野】
【０００１】
本発明は、浴槽と浴槽架台とが別体で構成され、施工現場にて浴槽架台上に浴槽を取り付ける構造の浴槽ユニットに関するものである。
【背景技術】
【０００２】
従来、この種の浴槽ユニットとしては、図１０，図１１に示すように、浴槽Ａと、浴槽架台Ｂと、浴槽Ａを浴槽架台Ｂに固定するための固定部材Ｃとが、それぞれ別体で構成されていて、浴槽の底部の裏側に固定した固定部材Ｃを介して、浴槽Ａを浴槽架台Ｂに固定する構造のものが開示されている（例えば、特許文献１参照）。
上記固定部材Ｃは、浴槽Ａの底部の裏側に取り付けるための浴槽取付部Ｄと、浴槽架台Ｂを狭持するための架台狭持部Ｅと、架台狭持部Ｅを浴槽架台ＢにボルトＦで固定するためのボルト挿通孔Ｇとを備えている。
また、浴槽Ａの底部には、浴槽の底部の外周に沿って底外周リブＨが形成されているとともに、底外周リブＨのコーナー部にＬ型のコーナーリブＪが形成されていて、底外周リブＨとコーナーリブＪとによって、浴槽取付部Ｄが嵌り込む凹み状の固定穴Ｋが形成されている。さらに、底外周リブＨには、浴槽取付部Ｄを前記固定穴Ｋに嵌め込んだ状態で、浴槽取付部Ｄを浴槽に固定するためのビス孔Ｍが形成されている。
そして、浴槽Ａを浴槽架台Ｂに固定するときには、あらかじめ、浴槽取付部Ｄを浴槽Ａの底部の裏側の固定穴Ｍに嵌め込んで、浴槽Ａの底外周リブＨに形成されているビス孔ＭからビスＮを差し込んで、浴槽取付部Ｄを浴槽Ａにビス止めしておく。そして、浴槽Ａの底部が下方を向くように、浴槽Ａの上下を反転させた後、浴槽Ａを浴槽架台Ｂ上の所定の位置に下ろして、架台狭持部Ｅにより浴槽架台Ｂを狭持させる。その後、ボルト挿通孔ＧにボルトＦを挿入して、架台狭持部Ｅを浴槽架台Ｂに固定する。
【０００３】
しかしながら、上記の浴槽ユニットは、浴槽Ａの底部の裏側に固定部材Ｃを取り付ける構造であるため、浴槽Ａに固定部材Ｃを取り付けるとき、あるいは、浴槽Ａを浴槽架台Ｂに取り付けるときに、浴槽Ａの上下を反転させる必要があり、浴槽Ａに傷やクラックが入らないように、慎重に作業しなければならず、作業効率が極めて悪い。
また、上記の浴槽ユニットは、浴槽Ａの底外周リブＨには、ビス孔Ｍが形成されているため、輸送時や施工時などに、このビス孔Ｍに起因して、浴槽Ａの底外周リブＨにクラックが発生する恐れがある。
さらに、上記の浴槽ユニットは、架台狭持部Ｅで浴槽架台Ｂを狭持させるだけでは、浴槽Ａが浴槽架台Ｂに対して位置ずれする恐れがあり、浴槽Ａを浴槽架台Ｂに安定して設置できないため、架台狭持部Ｅを浴槽架台ＢにボルトＦで固定する構造となっている。しかし、洗い場Ｘの近傍位置の架台狭持部Ｃについては、浴槽Ａと洗い場Ｘとの隙間から手を伸ばして、浴槽架台ＢにボルトＦで固定可能であるが、洗い場Ｘから離れた位置の架台狭持部Ｅについては、架台狭持部Ｅに手が届かないため、浴槽架台ＢにボルトＦで固定することが困難である。
【特許文献１】特開２００５−１６２６３号公報
【発明の開示】
【発明が解決しようとする課題】
【０００４】
本発明は、上記問題点に鑑みてなされたものであって、作業者の負担を軽減できる上、浴槽や浴槽架台が損傷しにくく、浴槽を浴槽架台に容易かつ確実に設置できる構造の浴槽ユニットを提供することにある。
【課題を解決するための手段】
【０００５】
上記課題を解決するために、請求項１記載の発明は、洗い場に隣接して配置される浴槽と、この浴槽を支持する浴槽架台とを備えた浴槽ユニットであって、浴槽の底部裏面と浴槽架台の上面のいずれか一方に、凹部が形成されているとともに、浴槽の底部裏面または浴槽架台の上面の前記凹部に対応する位置に、前記凹部に弾性変形により嵌着する凸部が形成されていて、凸部の嵌合部分に、凸部の先端側から根元側に向かって傘状に広がる脱落阻止部が形成されていることを特徴とする。
ここで、浴槽の底部裏面とは、浴槽架台に浴槽を支持させたときに、浴槽架台側となる面をいう。また、浴槽架台の上面とは、浴槽架台に浴槽を支持させたときに、浴槽側となる面をいう。
【０００６】
請求項２記載の発明は、請求項１記載の浴槽ユニットにおいて、凸部と凹部とが、洗い場の近傍位置と洗い場から離れた位置とにそれぞれ設けられており、洗い場の近傍位置における凸部と凹部との嵌合強度を、洗い場から離れた位置における凸部と凹部との嵌合強度よりも弱くしたことを特徴とする。
【発明の効果】
【０００７】
請求項１記載の発明は、洗い場に隣接して配置される浴槽と、この浴槽を支持する浴槽架台とを備えた浴槽ユニットであって、浴槽の底部裏面と浴槽架台の上面のいずれか一方に、凹部が形成されているとともに、浴槽の底部裏面または浴槽架台の上面の前記凹部に対応する位置に、前記凹部に弾性変形により嵌着する凸部が形成されていて、凸部の嵌合部分に、凸部の先端側から根元側に向かって傘状に広がる脱落阻止部が形成されているので、凸部に凹部を嵌合させるだけで、浴槽を浴槽架台に容易かつ確実に嵌着することができる上、凸部に凹部を嵌合させた状態において、浴槽が浴槽架台に対して傾いても、脱落阻止部が、凹部の内壁面に圧接した状態で凹部の傾きに追従し、浴槽と浴槽架台との嵌合状態を保つことができる。
【０００８】
請求項２記載の発明は、請求項１記載の浴槽ユニットにおいて、凸部と凹部とが、洗い場の近傍位置と洗い場から離れた位置とにそれぞれ設けられており、洗い場の近傍位置における凸部と凹部との嵌合強度を、洗い場から離れた位置における凸部と凹部との嵌合強度よりも弱くしたので、洗い場の近傍位置における嵌合部分は、洗い場から離れた位置における嵌合部分に比べて外れやすい。したがって、例えば、エプロンが浴槽や洗い場とは別体で構成されていて、浴槽と洗い場とを設置した後に、浴槽と洗い場との間にエプロンを取り付ける場合には、浴槽における洗い場側の端部を持ち上げて、洗い場から離れた位置における嵌合部分を支点として浴槽を傾けることができるので、浴槽と洗い場との間に容易にエプロンを挿入することができる。
【発明を実施するための最良の形態】
【０００９】
以下、本発明にかかる浴槽ユニットの一実施形態について、図面に基づいて詳細に説明する。
本実施形態の浴槽ユニット１ａは、図１に示すように、洗い場Ｘに隣接して配置される浴槽２と、この浴槽２を支持する浴槽架台３で構成されている。
【００１０】
浴槽２は、平面視略矩形の底部４と、底部４の四囲から立ち上がる側面部５とを備えている。そして、底部４の浴槽架台側の面、すなわち底部４の裏面には、図２（ａ）〜（ｃ）および図３に示すように、円筒状の嵌合凹部６と、嵌合凹部６の外周部から十字状に延びる補強リブ７とが、底部４に一体に形成されている。嵌合凹部６は、浴槽２の底部４の四隅近傍にそれぞれ設けられている。
【００１１】
浴槽架台３は、図１に示すように、一対のフレーム部材８，８と、平行に配置されたフレーム部材８，８間に掛け渡される梁部材９と、フレーム部材８を設置面上に支持する支持脚ボルト１０とを備えており、フレーム部材８の上面には、嵌合凹部６に弾性変形により嵌合可能な嵌合凸部１１が取り付けられている。
【００１２】
嵌合凸部１１は、図４に示すように、金属製の芯材１２と、エチレン‐プロピレン‐ジエンゴム（略称：ＥＰＤＭ）製の被覆材１３とから構成されている。芯材１２は、柱状の本体部１２０と、本体部１２０の端部に形成された頭部１２１とからなり、芯材１２の軸心方向には、ビス１６をねじ込むためのビス孔１４が形成されている。被覆材１３は、円錐台状に形成されていて、被覆材１３の軸心方向には、芯材１２の本体部１２０を挿入可能な挿通孔１３０が形成されている。
【００１３】
嵌合凹部６の寸法は、最大内径φ１＝３７ｍｍ、最小内径φ２＝３４．５ｍｍ、高さＨ１＝５１ｍｍである。
嵌合凸部１１の寸法は、最大外径φ３＝３８ｍｍ、上端側の外径φ４＝３３ｍｍ、高さＨ２＝３６ｍｍである。
【００１４】
次に、本実施形態の浴槽ユニット１ａの設置手順を説明する。まず、設置面上に水平に設置された洗い場Ｘに隣接させて浴槽架台３を設置し、浴槽架台３のレベル調整をする。次に、フレーム部材８の上面に嵌合凸部１１を取り付ける。このとき、図５に示すように、嵌合凸部１１の上方から嵌合凸部１１にビス１６をねじ込み、フレーム部材８に嵌合凸部１１を固定する。そして、浴槽架台３を設置面上に固定剤で固定した後、浴槽２を浴槽架台３上に下ろして、浴槽２の裏面の嵌合凹部６を浴槽架台３の嵌合凸部１１に嵌合させる。
【００１５】
以上、詳述した通り、本実施形態の浴槽ユニット１ａによれば、浴槽２の底部４の裏面に、嵌合凹部６が形成されているとともに、浴槽架台３のフレーム部材８の上面に、嵌合凹部６に弾性変形により嵌合する嵌合凸部１１が形成されているので、嵌合凸部１１を嵌合凹部６に嵌合させた状態では、嵌合凸部１１が、嵌合凹部６の内壁面に圧接した状態となり、また、抜け方向に力がかかっても、高い摩擦力で嵌合状態を保持できる。したがって、嵌合凸部１１を嵌合凹部６に嵌合するという簡単な作業をするだけで、浴槽２を浴槽架台３に確実に嵌着することができ、浴槽設置時の作業負担を大幅に低減できる。また、浴槽２の底部４に、ビスなどの固定具を打つ必要がないので、浴槽２にクラックなどの損傷が発生する恐れがない。また、嵌合凹部６と嵌合凸部１１とを複数ヶ所で嵌合させるようにしたので、浴槽架台３に対する浴槽２の位置決めがしやすく、より一層、浴槽設置時の作業負担を低減できる。
【００１６】
次に、本発明の浴槽ユニットの第２の実施形態について、図面に基づいて説明する。
本実施形態の浴槽ユニット１ｂは、図８に示すように、基本的には、上記第１の実施形態と同様の構成であり、嵌合凸部の形状だけが異なるため、同一部分については同一符号で示し、異なる部分についてのみ説明することとする。
【００１７】
本実施形態の嵌合凸部１７は、洗い場側に配置される第１の嵌合凸部１７ａと、洗い場と反対側に配置される第２の嵌合凸部１７ｂとからなる。
第１の嵌合凸部１７ａ，第２の嵌合凸部１７ｂは、図６，図７に示すように、被覆材１８が、円筒状の本体部１９と、本体部１９の上端から下端側に向かって傘状に広がる薄肉の脱落阻止部２０とから構成されている。本体部１９と脱落阻止部２０とは、エチレン‐プロピレン‐ジエンゴム（略称：ＥＰＤＭ）で一体形成されており、本体部１９と脱落阻止部２０との間には、空間が形成されている。
【００１８】
第１の嵌合凸部１７ａの寸法は、最大外径φ５＝３８ｍｍ、上端側の外径φ６＝３３ｍｍ、高さＨ２＝３６ｍｍ、被覆材１８の高さＨ３＝２８ｍｍ、脱落阻止部２０の厚さｔ＝４ｍｍ、長さｈ＝２２ｍｍ、開き角度θ＝７度である。
第２の嵌合凸部１７ｂの寸法は、最大外径φ５＝３９ｍｍ、上端側の外径φ６＝３３ｍｍ、高さＨ２＝３６ｍｍ、被覆材１８の高さＨ３＝２８ｍｍ、脱落阻止部２０の厚さｔ＝４ｍｍ、長さｈ＝１７ｍｍ、開き角度θ＝１０．５度である。
また、浴槽２側の嵌合凹部６の寸法は、最大内径φ１＝３７ｍｍ、最小内径φ２＝３４．５ｍｍ、高さＨ１＝５１ｍｍである。
そして、図８に示すように、第１の嵌合凸部１７ａは、フレーム部材８の洗い場Ｘ側に配置され、ビス１６によりに固定されている。また、第２の嵌合凸部１７ｂは、フレーム部材８の洗い場Ｘとは反対側に配置され、ビス１６によりに固定されている。
【００１９】
第２の実施形態の浴槽ユニット１ｂによれば、嵌合凸部１７ａ，１７ｂに、嵌合凸部１７ａ，１７ｂの先端から根元側に向かって傘状に広がる薄肉の脱落阻止部２０が形成されていて、本体部１９と脱落阻止部２０との間に空間が形成されているので、嵌合凹部６に嵌合凸部１７ａ，１７ｂを嵌合させた場合に、脱落阻止部２０が浴槽２の嵌合凹部６の内壁面に圧接し、高い嵌合強度を得ることができる。その上、浴槽架台３に設置された浴槽２が、浴槽架台３に対して傾くなど、抜け方向に力がかかった場合には、圧縮状態の脱落阻止部２０が、元の形状に戻ろうとして、浴槽２の嵌合凹部６の内壁面に追従するので、脱落阻止部２０と嵌合凹部６との摩擦力が維持され、浴槽２と浴槽架台３との嵌合状態を保つことができる。
【００２０】
さらに、洗い場と反対側に配置した第２の嵌合凸部１７ｂは、第１の嵌合凸部１７ａに比べて最大外径φ５および脱落阻止部２０の開き角度θが大きいため、脱落阻止部２０の外周面が浴槽２の嵌合凹部６の内壁部に強く圧接する。その結果、洗い場と反対側における嵌合凸部と嵌合凹部との嵌合強度が、洗い場側における嵌合凸部と嵌合凹部との嵌合強度よりも強くなる。したがって、浴槽２の洗い場側の端部を持ち上げたときに、洗い場Ｘと反対側の嵌合部分、すなわち、第２の嵌合凸部１７ｂ側の嵌合状態を保ちながら、洗い場Ｘ側の嵌合部分、すなわち、第１の嵌合凸部１７ａ側だけを外すことができる。
【００２１】
そこで、例えば、エプロンが洗い場や浴槽に一体に形成されておらず、洗い場と浴槽とを設置した後に、浴槽と洗い場との間に、別体のエプロンを挿入する作業を行うときには、図９（ａ）に示すように、浴槽架台３の嵌合凸部１７ａ，１７ｂに浴槽２の嵌合凹部６を嵌合させて、浴槽２を浴槽架台３に嵌着させた状態から、図９（ｂ）に示すように、浴槽２の洗い場Ｘ側の端部を手で持ち上げて、洗い場Ｘ側と反対側の嵌合部分を支点として浴槽２を傾けて、エプロンＹを挿入することができる。さらに、図９（ｃ）に示すように、洗い場Ｘ側と反対側の嵌合部分を支点として、再度、浴槽を浴槽架台上の正確な位置に戻すことができるので、エプロンの取り付け作業が非常に行いやすい。
【００２２】
ここで、嵌合凸部１１の上端側の外径φ４、嵌合凸部１７ａ，１７ｂの上端側の外径φ６は、１０ｍｍを超え、２００ｍｍ以下であることが好ましい。１０ｍｍ以下では、芯材１２の強度が弱くなって、浴槽を安定して保持しにくく、２００ｍｍを超えると、一般的な浴槽の大きさでは、嵌合凸部を複数個所設けることができなくなるからである。
【００２３】
また、嵌合凸部１１，１７ａ，１７ｂの高さＨ２は、１０ｍｍを超え、１００ｍｍ以下であることが好ましい。
１０ｍｍ以下では、十分な摩擦抵抗力が得られず、嵌合凸部１１，１７ａ，１７ｂを嵌合凹部６に嵌着させにくく、１００ｍｍを超えると、嵌合凹部６の高さＨ１が高くなりすぎて、嵌合凹部６が折れ易くなり、浴槽２の取り扱いが難しくなるからである。
【００２４】
また、脱落阻止部２０の厚さｔは、２ｍｍを超え、１０ｍｍ未満であることが好ましい。２ｍｍ以下では、十分な摩擦抵抗力が得られず、嵌合凸部１１，１７ａ，１７ｂを嵌合凹部６に嵌着させにくく、１０ｍｍ以上であると弾性変形しにくくなり、嵌合凹部６の内面に対する脱落阻止部２０の追従性が失われてしまう恐れがあるからである。
【００２５】
また、脱落阻止部２０の長さｈは、被覆材１８の高さＨ３の半分を超え、Ｈ３以下であることが好ましい。被覆材１８の高さＨ３の半分以下では、十分な摩擦抵抗力が得られず、嵌合凸部１１，１７ａ，１７ｂを嵌合凹部６に嵌着させにくく、被覆材１８の高さＨ３を超えると、嵌合凹部６の内部に納まらず、確実に嵌合させることができなくなるからである。
【００２６】
また、脱落阻止部２０の開き角度θは、５度を超え、２５度未満であることが好ましい。５度以下では、十分な摩擦抵抗力が得られず、嵌合凸部１１，１７ａ，１７ｂを嵌合凹部６に嵌着させにくく、２５度以上であると、摩擦抵抗力により、脱落阻止部２０が嵌合凹部６の内部で折れてしまい、嵌合凹部６の内面に対する脱落阻止部２０の追従性が低下する恐れがあるからである。
【００２７】
なお、上記第１の実施形態および第２の実施形態では、浴槽２の底部裏面に嵌合凹部６が形成され、浴槽架台３の上面に嵌合凸部１１，１７ａ，１７ｂが形成されているが、本発明はこのような構成に限られず、浴槽２に嵌合凸部を設け、浴槽架台３に嵌合凹部を設けた構造であっても構わない。
【００２８】
また、芯材１２と被覆材１３，１８の材質は、上記実施形態で挙げたものに限られない。芯材１２の材質は、所望の強度を有し、上記の形状に加工できる材質であればよく、例えば、硬質のプラスチックなどでもよい。また、被覆材１３，１８の材質は、摩擦抵抗力が大きい弾性材料であればよく、例えば、樹脂発泡体などでもよい。
【図面の簡単な説明】
【００２９】
【図１】本発明にかかる第１の実施形態の浴槽ユニット１ａの施工手順を示す説明図である。
【図２】（ａ）浴槽２の一部を破断して示す断面図である。（ｂ）浴槽２の一部を破断して示す断面図である。（ｃ）浴槽２の底面図である。
【図３】嵌合凹部６の縦断面図である。
【図４】嵌合凸部１１の縦断面図である。
【図５】第１の実施形態の浴槽ユニット１ａにおいて、嵌合凸部１１を浴槽架台３に取り付ける手順を示す説明図である。
【図６】嵌合凸部１７ａの縦断面図である。
【図７】嵌合凸部１７ｂの縦断面図である。
【図８】第２の実施形態の浴槽ユニット１ｂにおいて、嵌合凸部１７ａ，１７ｂを浴槽架台３に取り付ける手順を示す説明図である。
【図９】（ａ）第２の実施形態の浴槽ユニット１ｂにおいて、嵌合凹部６を嵌合凸部１７ａ，１７ｂに嵌合させて、浴槽２を浴槽架台３上に設置した状態を示す説明図である。（ｂ）第２の実施形態の浴槽ユニット１ｂにおいて、浴槽２の洗い場Ｘ側の端部を持ち上げてエプロンを取り付ける様子を示す説明図である。（ｃ）エプロン取り付け後に、再度、嵌合凹部６を嵌合凸部１７ａ，１７ｂに嵌合させて、浴槽２を浴槽架台３上に設置する様子を示す説明図である。
【図１０】従来の浴槽ユニットを示す説明図である。
【図１１】従来の浴槽ユニットを示す説明図である。
【符号の説明】
【００３０】
１ａ      浴槽ユニット
１ｂ      浴槽ユニット
２        浴槽
３        浴槽架台
４        底部
６        嵌合凹部（凹部）
１１      嵌合凸部（凸部）
１７      嵌合凸部（凸部）
１７ａ    第１の嵌合凸部（凸部）
１７ｂ    第２の嵌合凸部（凸部）
２０      脱落阻止部
Ｘ        洗い場
【図１】
2008220458.tif 000003
【図２】
2008220458.tif 000004
【図３】
2008220458.tif 000005
【図４】
2008220458.tif 000006
【図５】
2008220458.tif 000007
【図６】
2008220458.tif 000008
【図７】
2008220458.tif 000009
【図８】
2008220458.tif 000010
【図９】
2008220458.tif 000011
【図１０】
2008220458.tif 000012
【図１１】
2008220458.tif 000013